(57)【要約】 【課題】血圧計用のカフが使い回しされることによって生ずる汗や皮脂、血液等の付着によるカフの汚損や細菌感染等の衛生上の問題を解決し得るカフ用衛生カバーを提供する。【解決手段】腕２ａに対して巻き付けるための帯状を呈し且つ所定量の流体が供給される流体袋１０が内蔵されてなる腕帯３を具えた血圧計用のカフ５に着脱可能に取り付けられるカフ用衛生カバーである。筒状に屈曲された腕帯３の筒状部１５の内側を覆う筒状のカバー片７ａを有する。筒状のカバー片７ａの上端縁部は弾性伸縮部２７とされ、筒状のカバー片の上端側部分２１は、筒状体１５の上端で外側に折り返される。折り返された上端側部分２１は、弾性伸縮部２７の弾性収縮によって筒状部１５に着脱可能に固定される。【選択図】図３
0003139521.tif 000002
【実用新案登録請求の範囲】
【請求項１】
腕等の生体部位に対して巻き付けるための帯状を呈し且つ所定量の流体が供給される流体袋が内蔵されてなる腕帯を具えた血圧計用のカフに着脱可能に取り付けられるカフ用衛生カバーであって、該生体部位に巻き付けられた腕帯の内側の、該生体部位との接触部分の全体を覆う可撓性のカバー片を有することを特徴とするカフ用衛生カバー。
【請求項２】
腕等の生体部位に対して巻き付けるための帯状を呈し且つ所定量の流体が供給される流体袋が内蔵されてなる腕帯を具え、且つ該腕帯の一方端に、該腕帯の他方端側を挿通させる係止リングが該腕帯の長さ方向と直交する方向に長く設けられてなる血圧計用のカフに着脱可能に取り付けられて、該生体部位に巻き付けられた腕帯の内側の、該生体部位との接触部分の全体を覆う可撓性のカバー片を有するカフ用衛生カバーであって、
該生体部位を通すことができる筒状部を形成するように筒状に屈曲された前記腕帯の該筒状部の内側を覆う筒状のカバー片を有し、該筒状のカバー片の上端側部分に逃がし切欠部が設けられており、該上端側部分は、該筒状部の上端で、前記係止リングの上端部分を該逃がし切欠部で逃がして外側に折り返し可能となされており、又、該筒状のカバー片の上端縁部は弾性伸縮部とされており、折り返された該上端側部分が、該弾性伸縮部の弾性収縮によって前記筒状部に着脱可能に固定されるようになされていることを特徴とするカフ用衛生カバー。
【請求項３】
腕等の生体部位に対して巻き付けるための帯状を呈し且つ所定量の流体が供給される流体袋が内蔵されてなる腕帯を具え、且つ該腕帯の一方端に、該腕帯の他方端側を挿通させる係止リングが該腕帯の長さ方向と直交する方向に長く設けられてなる血圧計用のカフに着脱可能に取り付けられて、該生体部位に巻き付けられた腕帯の内側の、該生体部位との接触部分の全体を覆う可撓性のカバー片を有するカフ用衛生カバーであって、
該生体部位を通すことができる筒状部を形成するように筒状に屈曲された前記腕帯の該筒状部の内側を覆う筒状のカバー片を有し、該筒状のカバー片の上端側部分に逃がし切欠部が設けられており、該上端側部分は、該筒状部の上端で、前記係止リングの上端部分を該逃がし切欠部で逃がして外側に折り返し可能となされており、又、該筒状のカバー片の前記逃がし切欠部の両端部に、下端で折り返された弾性装着紐の両端部が取り付けられており、該上端側部分が外側に折り返された状態で、該弾性装着紐の弾性的な伸張によって形成された該弾性装着紐と前記逃がし切欠部との間をなすループ状弾性装着部に前記腕帯の他方端側が挿通可能となされ、該弾性装着紐の下端が前記腕帯の下縁に弾性的に当接するようになされていることを特徴とするカフ用衛生カバー。
【請求項４】
腕等の生体部位に対して巻き付けるための帯状を呈し且つ所定量の流体が供給される流体袋が内蔵されると共に該流体袋に流体を供給し且つ排出させるためのチューブが取り付けられた腕帯を具える血圧計用のカフに着脱可能に取り付けられて、該生体部位に巻き付けられた該腕帯の内側の、該生体部位との接触部分の全体を覆う可撓性のカバー片を有するカフ用衛生カバーであって、
展開状態にある前記腕帯の内面を覆う平面状のカバー片の両側縁部分は、前記腕帯の両側縁で外側に向けて折り曲げられ、折り曲げられた部分が該腕帯の外面の両側部分に着脱可能に固定されるようになされており、一方の側縁部分の折り曲げの際に、前記チューブを該側縁部分に設けた逃がし切欠部で逃がすことを特徴とするカフ用衛生カバー。
【請求項５】
前記平面状のカバー片の前記折り曲げられた部分は、展開状態にある前記腕帯の外面の両側部分に着脱可能に接着により固定されるようになされていることを特徴とする請求項４記載のカフ用衛生カバー。
【請求項６】
前記平面状のカバー片の前記折り曲げられた部分は起毛部とされ、該起毛部が、前記腕帯の外面の両側部分に設けられた係合片と着脱可能に係合することにより、前記折り曲げられた部分が前記腕帯に着脱可能に固定されることを特徴とする請求項４記載のカフ用衛生カバー。
【請求項７】
前記平面状のカバー片の両側縁部分の夫々に、互いに着脱可能に係着し得る一対の面ファスナの一方が固定されており、該両側縁部分が折り曲げられた際に、該面ファスナが、前記腕帯の外面の両側部分に設けられた他方の面ファスナと着脱可能に係合することにより、前記折り曲げられた部分が前記腕帯に着脱可能に固定されることを特徴とする請求項４記載のカフ用衛生カバー。
【請求項８】
腕等の生体部位に対して巻き付けるための帯状を呈し且つ所定量の流体が供給される流体袋が内蔵されてなる腕帯を具えた血圧計用のカフに着脱可能に取り付けられて、該生体部位に巻き付けられた腕帯の内側部の、該生体部位との接触部分の全体を覆うカバー片を有するカフ用衛生カバーであって、該生体部位を通すことのできる可撓性の筒状のカバー片を有することを特徴とするカフ用衛生カバー。
【請求項９】
腕等の生体部位に対して巻き付けるための帯状を呈し且つ所定量の流体が供給される流体袋が内蔵されてなる腕帯を具え、且つ該腕帯の一方端に、該腕帯の他方端側を挿通させる係止リングが該腕帯の長さ方向と直交する方向に長く設けられてなる血圧計用のカフに着脱可能に取り付けられて、該生体部位に巻き付けられた腕帯の内側の、該生体部位との接触部分の全体を覆うカバー片を有するカフ用衛生カバーであって、該生体部位を通すことのできる可撓性の筒状のカバー片を有することを特徴とするカフ用衛生カバー。
【請求項１０】
腕等の生体部位に対して巻き付けるための帯状を呈し且つ所定量の流体が供給される流体袋が内蔵されてなる腕帯を具え、且つ該腕帯の一方端に、該腕帯の他方端側を挿通させる係止リングが該腕帯の長さ方向と直交する方向に長く設けられてなる血圧計用のカフに着脱可能に取り付けられて、該生体部位に巻き付けられた腕帯の内側の、該生体部位との接触部分の全体を覆うカバー片を有するカフ用衛生カバーであって、
該生体部位を通すことのできる可撓性の筒状のカバー片の下端縁部は、該生体部位を弾性的に締め付ける弾性伸縮部とされていることを特徴とするカフ用衛生カバー。
【請求項１１】
前記カバー片は不織布であることを特徴とする請求項１〜１０の何れかに記載のカフ用衛生カバー。
【考案の詳細な説明】
【技術分野】
【０００１】
本考案は、血圧計用のカフに着脱可能に取り付けられるカフ用衛生カバーに関するものである。
【背景技術】
【０００２】
上腕の動脈を圧迫して血圧を測定する腕用の血圧計は、図３３や図３４に示すように、カフａの腕帯ｂを上腕ｃに対して巻き付け、該腕帯ｂに内蔵されている空気袋ｄに、チューブｅを介して所要量の空気を供給し、その後、圧力を徐々に緩めて血圧を測定するものである。
【０００３】
血圧の測定に際しては、このようにカフａを腕に装着することから、腕帯ｂの内側の腕との接触部分ｆに汗や皮脂が付着しやすく、これらに細菌類が繁殖して悪臭を放つ問題を生じさせた。又、腕帯ｂの内側ｆに、傷口からの血液が付着することもあり、細菌感染等の衛生上の問題を引き起こすこともあった。
【０００４】
特に、病院や施設にあってはカフの使い回しがされていることからこのような問題が生じやすかったし、家庭にあっても、１台の血圧計を複数人で使用する場合はこのような問題を発生させやすかったのである。
【０００５】
このようにカフが汚れた場合、カフを度々取り替えることは、高価につきすぎて困難である。そこで、抗菌剤により細菌類の繁殖を抑制して悪臭防止を図らんとする血圧計用カフが特開平８−１５０１２７号公報で提案されている。該血圧計用カフは生体部位に装着されて加圧空気が導入されることで生体部位を圧迫する加圧空気収容体の、少なくとも生体に接触する部分に抗菌剤を設けた構成を有しており、これにより、カフに汗や皮脂等が付着乃至吸収されても、該抗菌剤により細菌類の繁殖を抑制し、悪臭を防止せんとするものであった。
【０００６】
しかしながら、かかる抗菌剤が設けられたカフは、抗菌剤により細菌類の繁殖を抑制するだけであって細菌類の繁殖を阻止できるものではなかった。況んや、カフに吸収されたり付着している汗や皮脂等を除去できるものではなかった。かかることから前記抗菌性のカフは、使い回しによる衛生上の問題を十分には解決しがたく、又、汗や皮脂、血液、細菌類が付着して汚染されたカフを度々取り替えることは前記と同様に困難であった。
【０００７】
【特許文献１】特開平８−１５０１２７号公報
【考案の開示】
【考案が解決しようとする課題】
【０００８】
本考案は、前記従来の問題点に鑑みて開発されたものであり、カフの使い回しによる汗や皮脂、血液等の付着による汚損や、細菌感染等の衛生上の問題を解決し得るカフ用衛生カバーの提供を課題とするものである。
【課題を解決するための手段】
【０００９】
前記課題を解決するため本考案は以下の手段を採用する。
即ち本考案に係るカフ用衛生カバーは、腕等の生体部位に対して巻き付けるための帯状を呈し且つ所定量の流体が供給される流体袋が内蔵されてなる腕帯を具えた血圧計用のカフに着脱可能に取り付けられるカフ用衛生カバーであって、該生体部位に巻き付けられた腕帯の内側の、該生体部位との接触部分の全体を覆う可撓性のカバー片を有することを特徴とするものである。
【００１０】
本考案に係るカフ用衛生カバーのより具体的な態様は、腕等の生体部位に対して巻き付けるための帯状を呈し且つ所定量の流体が供給される流体袋が内蔵されてなる腕帯を具え、且つ該腕帯の一方端に、該腕帯の他方端側を挿通させる係止リングが該腕帯の長さ方向と直交する方向に長く設けられてなる血圧計用のカフに着脱可能に取り付けられて、該生体部位に巻き付けられた腕帯の内側の、該生体部位との接触部分の全体を覆う可撓性のカバー片を有するカフ用衛生カバーである。そして、該生体部位を通すことができる筒状部を形成するように筒状に屈曲された前記腕帯の該筒状部の内側を覆う筒状のカバー片を有し、該筒状のカバー片の上端側部分に逃がし切欠部が設けられており、該上端側部分は、該筒状部の上端で、前記係止リングの上端部分を該逃がし切欠部で逃がして外側に折り返し可能となされており、又、該筒状のカバー片の上端縁部は弾性伸縮部とされており、折り返された該上端側部分が、該弾性伸縮部の弾性収縮によって前記筒状部に着脱可能に固定されるようになされていることを特徴とするものである。
【００１１】
本考案に係るカフ用衛生カバーのより具体的な他の態様は、腕等の生体部位に対して巻き付けるための帯状を呈し且つ所定量の流体が供給される流体袋が内蔵されてなる腕帯を具え、且つ該腕帯の一方端に、該腕帯の他方端側を挿通させる係止リングが該腕帯の長さ方向と直交する方向に長く設けられてなる血圧計用のカフに着脱可能に取り付けられて、該生体部位に巻き付けられた腕帯の内側の、該生体部位との接触部分の全体を覆う可撓性のカバー片を有するカフ用衛生カバーである。そして、該生体部位を通すことができる筒状部を形成するように筒状に屈曲された前記腕帯の該筒状部の内側を覆う筒状のカバー片を有し、該筒状のカバー片の上端側部分に逃がし切欠部が設けられており、該上端側部分は、該筒状部の上端で、前記係止リングの上端部分を該逃がし切欠部で逃がして外側に折り返し可能となされており、又、該筒状のカバー片の前記逃がし切欠部の両端部に、下端で折り返された弾性装着紐の両端部が取り付けられており、該上端側部分が外側に折り返された状態で、該弾性装着紐の弾性的な伸張によって形成された該弾性装着紐と前記逃がし切欠部との間をなすループ状弾性装着部に前記腕帯の他方端側が挿通可能となされ、該弾性装着紐の下端が前記腕帯の下縁に弾性的に当接するようになされていることを特徴とするものである。
【００１２】
本考案に係るカフ用衛生カバーのより具体的なその他の態様は、腕等の生体部位に対して巻き付けるための帯状を呈し且つ所定量の流体が供給される流体袋が内蔵されると共に該流体袋に流体を供給し且つ排出させるためのチューブが取り付けられた腕帯を具える血圧計用のカフに着脱可能に取り付けられて、該生体部位に巻き付けられた該腕帯の内側の、該生体部位との接触部分の全体を覆う可撓性のカバー片を有するカフ用衛生カバーである。そして、展開状態にある前記腕帯の内面を覆う平面状のカバー片の両側縁部分は、前記腕帯の両側縁で外側に向けて折り曲げられ、折り曲げられた部分が該腕帯の外面の両側部分に着脱可能に固定されるようになされており、一方の側縁部分の折り曲げの際に、前記チューブを該側縁部分に設けた逃がし切欠部で逃がすことを特徴とするものである。
【００１３】
平面状のカバー片を有する前記カフ用衛生カバーにおいて、該平面状のカバー片の前記折り曲げられた部分を、展開状態にある前記腕帯の外面の両側部分に着脱可能に接着により固定されるように構成するのがよい。
【００１４】
又、平面状のカバー片を有する前記カフ用衛生カバーにおいて、該平面状のカバー片の前記折り曲げられた部分を起毛部とし、該起毛部が、前記腕帯の外面の両側部分に設けられた係合片と着脱可能に係合することにより、前記折り曲げられた部分が前記腕帯に着脱可能に固定されるように構成するのがよい。
【００１５】
又、平面状のカバー片を有する前記カフ用衛生カバーにおいて、該平面状のカバー片の両側縁部分の夫々に、互いに着脱可能に係着し得る一対の面ファスナの一方を固定し、該両側縁部分が折り曲げられた際に、該面ファスナが、前記腕帯の外面の両側部分に設けられた他方の面ファスナと着脱可能に係合することにより、前記折り曲げられた部分が前記腕帯に着脱可能に固定されるように構成するのがよい。
【００１６】
本発明に係るカフ用衛生カバーのより具体的なその他の態様は、腕等の生体部位に対して巻き付けるための帯状を呈し且つ所定量の流体が供給される流体袋が内蔵されてなる腕帯を具えた血圧計用のカフに着脱可能に取り付けられて、該生体部位に巻き付けられた腕帯の内側部の、該生体部位との接触部分の全体を覆うカバー片を有するカフ用衛生カバーであって、該生体部位を通すことのできる可撓性の筒状のカバー片を有することを特徴とするものである。
【００１７】
本発明に係るカフ用衛生カバーのより具体的なその他の態様は、腕等の生体部位に対して巻き付けるための帯状を呈し且つ所定量の流体が供給される流体袋が内蔵されてなる腕帯を具え、且つ該腕帯の一方端に、該腕帯の他方端側を挿通させる係止リングが該腕帯の長さ方向と直交する方向に長く設けられてなる血圧計用のカフに着脱可能に取り付けられて、該生体部位に巻き付けられた腕帯の内側の、該生体部位との接触部分の全体を覆うカバー片を有するカフ用衛生カバーであって、該生体部位を通すことのできる可撓性の筒状のカバー片を有することを特徴とするものである。
【００１８】
本発明に係るカフ用衛生カバーのより具体的なその他の態様は、腕等の生体部位に対して巻き付けるための帯状を呈し且つ所定量の流体が供給される流体袋が内蔵されてなる腕帯を具え、且つ該腕帯の一方端に、該腕帯の他方端側を挿通させる係止リングが該腕帯の長さ方向と直交する方向に長く設けられてなる血圧計用のカフに着脱可能に取り付けられて、該生体部位に巻き付けられた腕帯の内側の、該生体部位との接触部分の全体を覆うカバー片を有するカフ用衛生カバーであって、該生体部位を通すことのできる可撓性の筒状のカバー片の下端縁部は、該生体部位を弾性的に締め付ける弾性伸縮部とされていることを特徴とするものである。
【００１９】
前記した各カフ用衛生カバーにおいて、前記カバー片は不織布を以て構成するのがよい。
【考案の効果】
【００２０】
本考案に係るカフ用衛生カバーは、生体部位に巻き付けられた腕帯の内側の、生体部位との接触部分の全体を覆う可撓性のカバー片を有するため、汗や皮脂、血液等が腕帯の内面に付着するのを効果的に防止でき、カフの使い回しによる汗や皮脂の付着によるカフの汚損を防止できると共に、細菌感染を予防でき感染症対策にも寄与する。
【実施例１】
【００２１】
図１〜３において本考案に係るカフ用衛生カバー１は、例えば腕２ａとしての生体部位２に対して巻き付けるための腕帯３を具える血圧計用のカフ５に着脱可能に取り付けられるものであり、該腕帯３が図３、図４に示すように腕２ａに巻き付けられた状態で、該巻き付けられた腕帯３の内側の、腕との接触部分６の全体を覆う可撓性のカバー片７を有する。なお本実施例においては、該カフ用衛生カバー１は使い捨てである。以下これをより具体的に説明する。
【００２２】
前記カフ５は、図１、図５に示すように、上腕９に対して巻き付けるための帯状を呈し且つ所定量の流体（例えば空気）が供給される流体袋１０が内蔵された前記腕帯３を具え、該腕帯３の一方端１１に、該腕帯３の他方端側１２を挿通させる係止リング１３が設けられており、該係止リング１３は、該腕帯３の長さ方向と直交する方向に細長く形成されている。そして血圧測定に際しては、前記腕帯３を筒状に屈曲して形成した筒状部１５に腕２ａを通して該筒状部１５を上腕９に位置させて後、前記係止リング１３に挿通されている前記他方端側１２を外方向へ引っ張って該筒状の腕帯３を絞り、その後、該他方端側１２を面ファスナ１６により該筒状部１５の外面１７に固定し、これにより上腕９へのカフ５の装着が完了するようになされている。
【００２３】
そして本考案に係るカフ用衛生カバー１は、本実施例においては、抗菌剤が含有されてなる０．１３ｍｍ程度の薄肉の抗菌性不織布１９を用いて構成されており、腕２ａを通すことのできる可撓性の筒状を呈し、前記筒状部１５の内側の全体を覆う筒状のカバー片７ａの上端側部分２１にＶ字状の逃がし切欠部２２が設けられている。そして、該筒状のカバー片７ａの上端縁部２３は、該逃がし切欠部２２の両端部２５，２５に端部２６，２６が存する弾性伸縮部２７とされている。
【００２４】
該カフ用衛生カバー１の製造工程を例示すれば、図６に示す横長の長方形状の基材不織布２９を図７（Ａ）に示すように筒状に屈曲させると共にその両端の縁部分３０，３０相互を該筒状の内側で重ね合わせ、該重ね合わせた部分２９を、その下端３１から上端３２の稍下側に位置する部位３３までの範囲で、熱融着や縫製等によって固着する。これにより、該固着された長さ部分３５の上端３６と、前記筒状の上端３２との間が分離部３７とされ且つ上下端３４，３８が開放した筒状体３９が形成される。該筒状体３９の直径は、血圧を測定される人の腕の太さの違いに応じられるように稍大きく、例えば１３０ｍｍ程度に設定する。その後、図７（Ｂ）（Ｃ）に示すように、該筒状体３９の上端部分４０を５ｍｍ程度の折り返し幅で内側に折り返し、折り返し片４１の下端縁部分４２を周方向に連続して、前記筒状体３９の外面部４３に、熱融着や縫製等によって固着する。これにより、該折り返し片４１の上端縁４５と該下端縁部分４２との間に、前記分離部３７で途切れて周方向に連続する紐通し４６が形成される。この紐通し４６に弾性紐４７を通し、図１に示すように、該弾性紐４７を稍伸長させた状態でその両端部（前記弾性伸縮部２７の両端部）２６，２６を前記紐通し４６の対応する端部（前記逃がし切欠部２２の両端部）２５，２５に固定する。これにより、前記のように、筒状のカバー片７ａの上端側部分２１に、Ｖ字状に切り欠かれた逃がし切欠部２２が設けられると共に、該筒状のカバー片７ａの上端縁部２３が弾性伸縮部２７とされた前記カフ用衛生カバー１が構成されることとなる。
【００２５】
かかる構成のカフ用衛生カバー１を前記腕帯３の前記筒状部１５に取り付けるに際しては、先ず図２、図８に示すように、前記筒状のカバー片７ａを前記筒状部１５に、両者の上下方向を合致させて通す。その後、該筒状のカバー片７ａの上端側部分２１を、前記弾性伸縮部２７を弾性拡開させ且つ前記係止リング１３の上端部分５１を前記逃がし切欠部２２で逃がして、前記筒状部１５の上端５２で外側に折り返す。該係止リング１３の上端部分５１をこのように逃がし切欠部２２で逃がすため、該係止リング１３が障害となることなく上端側部分２１を無理なく折り返すことができる。
【００２６】
これにより、折り返された該上端側部分２１が前記弾性伸縮部２７の弾性収縮によって前記筒状部１５に着脱可能に固定される。そしてこの状態で、図２、図４に示すように、前記筒状のカバー片７ａの下端側部分５３が前記筒状部１５の下端５５よりも下方に稍突出した状態となる。
【００２７】
かかる構成のカフ用衛生カバー１が取り付けられたカフ５を上腕９に装着する要領は、図３、図４に示すように、前記筒状部１５の内側を覆う前記筒状のカバー片７ａの筒状の内部に腕２ａを通して該筒状部１５を上腕９に位置させる。このようにして筒状のカバー片７ａに腕２ａを通す際、前記弾性伸縮部２７の弾性収縮によって該筒状のカバー片７ａの上端側部分２１が前記筒状部１５に固定されていることから、該カフ用衛生カバー１が腕帯３から外れる恐れがない。その後、前記係止リング１３に挿通されている前記他方端側１２を外方向へ引っ張って該筒状の腕帯３を絞り、その後、該他方端側１２を前記面ファスナ１６により筒状部１５の外面１７に固定し、これにより、上腕９へのカフ５の装着が完了する。そして、腕２ａに巻き付けられた該腕帯３の内側の、腕２ａとの接触部分６の全体を覆うようにカバー片７が配置された状態となる。
【００２８】
血圧測定に際しては、前記腕帯３に内蔵されている流体袋１０に、該流体袋１０に連結されたチューブ５６を介して所要量の流体を供給し、その後、圧力を徐々に緩めて血圧を測定するのである。このようにカフ５を上腕９に装着した状態においては、汗や皮脂、血液等が不織布製の前記筒状のカバー片７ａに付着乃至吸収されるため、汗や皮脂、血液等がカフ用衛生カバー１で遮断されて腕帯３に付着しない。血圧測定が完了した後は、筒状のカバー片７ａから腕２ａを引き抜き、前記弾性伸縮部２７を拡開させつつ前記上端縁部２３を筒状部１５から取り外し、カフ用衛生カバー１を腕帯から取り外す。このようにして取り外された使用済みのカフ用衛生カバー１は廃棄される。
【実施例２】
【００２９】
図９は、本考案に係るカフ用衛生カバー１の他の実施例を示すものであり、係止リング１３が設けられた腕帯３を具えるカフ５に着脱可能に取り付けられて、例えば腕２ａとしての生体部位２に巻き付けられた腕帯３の内側の、腕２ａとの接触部分６の全体を覆う筒状のカバー片７ａを有する点は前記と同様である。前記実施例とは、前記筒状のカバー片７ａを筒状部１５に固定する構成が異なる。
【００３０】
より具体的には、前記と同様の要領によって、図１０（Ａ）（Ｂ）（Ｃ）に示すような、上端側の部分５７に分離部３７が設けられ且つ該分離部３７で開口５９，５９する紐通し６０を有する筒状体６１を形成する。その後、該紐通し６０に弾性紐６２を通すと共に該弾性紐６２の両端部分６３，６３を前記開口５９，５９から下方に突出させ、該突出した両端部分６３，６３の下端相互を結着６６してなる。これにより、図９、図１０（Ｄ）に示すように、前記分離部３７が形成する逃がし切欠部６７の両端部６９，６９に、下方に稍突出して下端で折り返されたＶ字状乃至Ｕ字状の弾性装着紐７０の上端部７１，７１が取り付けられた状態となっている。
【００３１】
図１１は、かかる構成を有するカフ用衛生カバー１を、腕帯３の前記筒状部１５に取り付けた状態を示すものである。この取り付け要領は、前記筒状のカバー片７ａを前記筒状部１５に、両者の上下方向を合致させて通す。その後、該筒状のカバー片７ａの上端側部分２１を、前記係止リング１３の上端部分５１を前記逃がし切欠部６７で逃がして、前記筒状部１５の上端５２で外側に折り返す。該係止リング１３の上端部分５１をこのように逃がし切欠部６７で逃がすため、該係止リング１３が障害となることなく上端側部分２１を無理なく折り返すことができる。
【００３２】
その後、前記弾性装着紐７０と前記逃がし切欠部６７との間をなすループ状弾性装着部７２に、図１１に示すように、前記腕帯３の他方端側１２を挿通させ、該弾性装着紐７０の下端７３が前記腕帯３の下縁７５に弾性的に当接するようになす。その際、該下端７３を図１１に示すように、前記係止リング１３の下端部分７６に引っ掛けるのがよい。これにより、弾性装着紐７０が腕帯３に掛着された状態となり、筒状のカバー片７ａが該腕帯３に確実に固定された状態となる。
【００３３】
かかる構成を有するカフ用衛生カバー１が取り付けられたカフ５を上腕９に装着する要領は前記と同様である。
【００３４】
血圧測定に際しては図３〜図４に示すと同様に、前記腕帯３に内蔵されている流体袋１０に、チューブ５６を介して所要量の流体を供給し、その後、圧力を徐々に緩めて血圧を測定するのである。このようにカフ５を上腕９に装着した状態においては、汗や皮脂、血液等が不織布製の前記筒状のカバー片７ａに付着乃至吸収されるため、汗や皮脂、血液等がカフ用衛生カバー１で遮断されて腕帯３に付着しない。血圧測定が完了した後は、筒状のカバー片７ａから腕２ａを引き抜き、前記ループ状挿通部７２から前記他方端側１２を取り外し、カフ用衛生カバー１を腕帯３から取り外す。このようにして取り外された使用済みのカフ用衛生カバー１は廃棄される。
【００３５】
図１２は、下方に稍突出して下端で折り返された弾性装着紐７０の両端部７７，７７を前記分離部３７が形成する逃がし切欠部６７の両端部６９，６９に固着してなるカフ用衛生カバー１のその他の実施例を示すものであり、その他の構成及び、かかる構成を有するカフ用衛生カバー１の使用方法は前記と同様である。
【実施例３】
【００３６】
図１３〜１５は、本考案に係るカフ用衛生カバー１のその他の実施例を示すものであり、前記のような係止リング１３を有さないカフ５に装着されるものである。
【００３７】
該カフ５は図１３、図１６に示すように、腕２ａとしての生体部位２に対して巻き付けるための帯状を呈し且つ所定量の流体が供給される流体袋１０が内蔵された腕帯３を具えており、該流体袋１０に、流体を供給させ且つ排出させるためのチューブ５６が連結されている。
【００３８】
本考案に係るカフ用衛生カバー１は、図１３、図１７に示すように、該腕帯３の内側の、腕２ａとの接触部分６の全体を覆う可撓性のカバー片７を有する。なお本実施例においては、該カフ用衛生カバー１は使い捨てである。
【００３９】
該カバー片７は、本実施例においては、図１３〜１５、図１８に示すように、横長の長方形状を呈する平面状のカバー片７ｂを有しており、前記と同様の、抗菌剤が混入された薄肉の抗菌性不織布１９を用いて構成されている。より具体的には、該平面状のカバー片７ｂの長手方向の中央幅部分７９は前記腕帯３の内側の全体を覆うようになされ、その両側縁部分８０，８０は、該腕帯３の両側縁８１，８１で、外側に向けて折り曲げ可能となされており、折り曲げられた部分８２，８２が前記腕帯９の外面８３の両側部分８５，８５に着脱可能に固定されるようになされている。一方の側縁部分８０ａには、その折り曲げの際に前記チューブ５６を逃がすための、カバー片側縁８７で開口し、カバー片幅方向に延長する切り込み８８が形成する逃がし切欠部８６（図１５）が設けられている。
【００４０】
そして前記平面状のカバー片７ｂの前記折り曲げられた部分８２，８２の内面側８９，８９は起毛部９０，９０とされており、該起毛部９０が、前記腕帯３の外面８４の両側部分に設けられた面ファスナとしての係合片９１と着脱可能に係合するようになされており、該起毛部９０と該係合片９１とが係合することにより前記折り曲げられた部分８２，８２が前記腕帯３に着脱可能に固定され、これにより図１４〜１５、図１８に示すように、平面状のカバー片７ｂを有するカフ用衛生カバー１が腕帯３に着脱可能に取り付けられる。
【００４１】
図１９は、本考案に係るカフ用衛生カバー１のその他の実施例を、その外面側で示すものであり、前記平面状のカバー片７ｂの両側部分８０，８０の夫々の外面側に、互いに着脱自在に掛着し得る一対の面ファスナ９２ａ，９２ｂの一方９２ａが固定されている。そして図２０に示すように、該両側部分８０，８０が折り曲げられた際に、該面ファスナ９２ａが、前記腕帯３の外面８４の両側部分に設けられた他方の面ファスナ９２ｂと着脱可能に係合することにより、前記折り曲げられた部分８２，８２が前記腕帯９に固定（接着の一態様）されるようになされている。なお該他方の面ファスナ９２ｂは、本実施例においては、腕帯９の他方端側１２を固定するための面ファスナを兼用している。
【００４２】
図２１は、本考案に係るカフ用衛生カバー１のその他の実施例を示すものであり、前記平面状のカバー片７ｂの両側部分８０，８０の外面側に両面粘着テープを貼着する等によって、剥離可能の接着層９３，９３を設けてなる。そして図２２に示すように、前記折り曲げられた部分８２，８２が該接着層９３を介して前記腕帯３の両側部分９４，９４に、着脱可能に接着により固定されるようになされている。
【００４３】
このように、起毛部９０と係合片９１との着脱可能な係合によって、又、面ファスナ９２ａ，９２ｂの着脱可能な係合によって、又、着脱可能の接着によって、カフ用衛生カバー１を腕帯３に固定できるのであるが、カフ用衛生カバー１が腕帯３に固定されてなるカフ５を、上腕９に装着するに際しては、図１６〜１７に示すように、該カフ用衛生カバー１の内面９５が上腕９に接するようにして腕帯３をその一端側から上腕９に巻き付け、腕帯３の他方端側１２を引っ張ってカフ５を締め付け、この締め付け状態を前記面ファスナ１６で固定する。そして、腕２ａに巻き付けられた該腕帯３の内側の、腕２ａとの接触部分６の全体を覆うように可撓性のカバー片７が配置された状態となる。
【００４４】
血圧測定に際しては、前記腕帯３に内蔵されている前記流体袋１０に、チューブ５６を介して所要量の流体を供給し、その後、圧力を徐々に緩めて血圧を測定するのである。このようにカフ５を上腕９に装着した状態においては、汗や皮脂、血液等が不織布製の前記平面状のカバー片７ｂに付着乃至吸収されるため、汗や皮脂、血液等がカフ用衛生カバー１で遮断されて腕帯３に付着しない。血圧測定が完了した後は、カフ５を腕２ａから外し、前記折り曲げられた部分８２，８２を腕帯３から取り外す。このようにして腕帯３から取り外された使用済みのカフ用衛生カバー１は廃棄される。
【実施例４】
【００４５】
図２３、図３０は、本考案に係るカフ用衛生カバー１のその他の実施例を示すものであり、前記係止リング１３が設けられてなる図２に示すカフ５や、かかる係止リング１３が設けられていない図１３に示すカフ５に取り付けることができる。
【００４６】
該カフ用衛生カバー１は、前記実施例におけるように腕帯３に予め装着されるものではなく、図２４に示すように、腕２ａに腕帯３を装着するに先立って腕２ａに予め取り付けられるものである。
【００４７】
図２３に示すカフ用衛生カバー１は、前記と同様の、抗菌剤が混入された薄肉の抗菌性不織布１９を用いて構成されており、腕２ａを通すことのできる筒状のカバー片７ａの下端縁部９７を、腕２ａを弾性的に締め付ける弾性伸縮部９９としてなる。そして、該筒状のカバー片７ａの上端１００にはかかる弾性伸縮部９９は設けられておらず、該上端１００は単純な開放状態にある。
【００４８】
該カフ用衛生カバー１の製造工程を例示すれば、図２５に示す横長の長方形状の基材不織布１０１を図２６に示すように筒状に屈曲させると共にその両端の縁部分１０２，１０２相互を該筒状の内側で重ね合わせ、該重ね合わせた部分１０３を、上下全長に亘って融着や縫製等により固着して筒状体１０４を形成する。このようにして形成された筒状体１０４の下端側の部分の５ｍｍ程度幅の折り返し片１０５を、図２７（Ａ）（Ｂ）に示すように、該筒状体１０４の内側に折り曲げ、その上端縁１０６を、該筒状体１０４の外面部１０７に熱融着や縫製等によって固着し、該折り曲げ片の下端縁１０９と上端縁部分１１０との間に紐通し１１１を形成する。この際、両端が結着される等してリング状を呈する弾性紐１１２を伸長させた状態にし、該弾性紐１１２を包むように前記折り返し片１０５を内側に折り曲げ、その上端縁１０６を、前記筒状体１０４の外面部１０７に熱融着や縫製等によって固着するのがよい。その後、前記弾性紐１１２を自由状態にすると、筒状のカバー片７ａの下端縁部９７が弾性伸縮部９９とされた図２３に示す前記カフ用衛生カバー１が構成されることとなる。
【００４９】
かかる構成を有するカフ用衛生カバー１を腕２ａに装着するに際しては、その上端開放部１１５（図２３）から下端開放部１１６に向けてカフ用衛生カバー１内に腕２ａを挿入し該筒状のカバー片７ａの上端部分１１７を上方に持ち上げる。これにより該弾性伸縮部９９が弾性的に拡開して腕を弾性的に締め付けた状態（血圧測定に影響を及ぼさない締め付け状態）で上方向に移動する。該筒状のカバー片７ａの上下方向中央部分１１９が図２４に示すように上腕９を覆った状態とする。
【００５０】
その後、カフ５を上腕９に装着するのであるが、該カフ５が前記係止リング１３を有するものであるときは、図２８に示すように、前記筒状部１５に腕２ａを通し、該筒状部１５が前記上下方向中央部分１１９を取り囲んだ状態とする。このようにして筒状のカバー片７ａに腕２ａを通す際、前記弾性伸縮部９９の弾性収縮によって該筒状のカバー片７ａの下端縁部９７が腕２ａに固定されているため、該筒状のカバー片７ａが捲り上がることなく前記筒状部１５に円滑に腕２ａを通すことができる。その後、該腕帯３の他方端側１２を前記係止リング１３に挿通させ、該他方端側１２を外方向へ引っ張って該筒状の腕帯３を絞り、その後、該他方端側１２を前記面ファスナ１６により筒状部１５の外面１７に固定し、これにより上腕９へのカフ５の装着を完了する。そして、腕２ａに巻き付けられた該腕帯３の内側の、腕との接触部分６の全体を覆うように可撓性のカバー片７が配置された状態となる。
【００５１】
該カフ５が前記係止リング１３を有さないときは、図２９に示すように、前記上下方向中央部分１１９の上から、前記腕帯３をその一端側から上腕９に巻き付け、カフを締め付けた状態で腕帯の他方端側１２を面ファスナにより固定する。
【００５２】
血圧測定に際しては、前記腕帯３に内蔵されている前記流体袋１０に、チューブ５６を介して所要量の流体を供給し、その後、圧力を徐々に緩めて血圧を測定するのである。このようにカフ５を上腕９に装着した状態においては、汗や皮脂、血液等が不織布製の前記筒状のカバー片７ａに付着乃至吸収されるため、汗や皮脂、血液等がカフ用衛生カバー１で遮断されて腕帯３に付着しない。血圧測定が完了した後は、使用済みのカフ用衛生カバー１を腕２ａから外して廃棄する。
【００５３】
図３０は、腕２ａを通すことのできる筒状のカバー片７ａのその他の実施例を示すものであり、前記弾性伸縮部９９が省略されて、上下ストレートに構成されている。かかる構成を有するカフ用衛生カバー１を腕２ａに取り付けるに際しては、該筒状のカバー片７ａ内に腕を通して、上腕９を覆うように引き上げる。その後、前記と同様、図３１や図３２に示すようにカフ５を上腕９に装着する。図３１は、カフ５が前記係止リング１３を有する場合を示し、図３２は、カフ５が前記係止リング１３を有さない場合を示す。
【実施例５】
【００５４】
本考案は、前記実施例で示したものに限定されるものでは決してなく、「実用新案登録請求の範囲」の記載内で種々の設計変更が可能であることはいうまでもない。その一例を挙げれば次のようである。
【００５５】
(1) 本考案に係るカフ用衛生カバー１を構成する可撓性のカバー片７は、汗や皮脂、血液等が腕帯に付着するのを防止できると共に、血圧の測定に支障のない厚さを有し、又、生体部位に装着容易な可撓性を有するものであればよく、前記のように不織布１９を用いて構成できる他、織物や編物、樹脂シート、紙等を用いて構成することもできる。そして、これらの素材には抗菌剤が含まれているのが好ましいが、抗菌剤が含まれていないものであってもよい。
又本考案に係るカフ用衛生カバー１は、衛生面を考慮して使い捨てが好ましいが、洗濯に耐え得る素材を用いて構成する場合は洗濯して再使用することもできる。
【００５６】
(2) 筒状のカバー片７ａの上端縁部を弾性伸縮部２７とした前記カフ用衛生カバー１において、該弾性伸縮部２７は、前記のように紐通し４６に弾性紐４７を通して形成することの他、折り返された上端側部分２１を前記腕帯３の筒状部１５に固定できる限り、弾性伸縮性を有する各種の手段を採用できる。
【００５７】
(3) 上端側部分２１を折り返して筒状のカフ用衛生カバー１を前記筒状体１５に着脱可能に固定する構成は、前記弾性伸縮部２７の弾性伸縮作用によって行うことの他、前記紐通し４６に挿通された非伸縮性の紐を絞って結ぶこと等によって固定することもできる。又、該折り返された上端側部分２１を粘着テープで固定することもできる他、面ファスナを用いて固定することも可能である。
【００５８】
(4) カフ用衛生カバー１を、図２３に示すように、腕に予め取り付けられる可撓性の筒状のカバー片７ａの下端縁部を弾性伸縮部９９として構成する場合、該弾性伸縮部９９は、生体部位を弾性的に締め付けることができるものでありさえすれば、前記のように紐通し１１１に弾性紐１２を通して構成するものには特定されず、弾性伸縮し得るギャザー部として構成する等、弾性伸縮し得る各種の構成を採用できる。
このように筒状のカバー片７ａの下端縁部を弾性伸縮部として構成する場合、併せて、筒状のカバー片７ａの上端縁部にも弾性伸縮部を設けることもある。
【００５９】
(5) 前記筒状のカバー片７ａに設ける前記逃がし切欠部２２，６７は、該筒状のカバー片７ａの上端側部分２１を外側に折り返す際に、前記係止リング１３の上端部分５１を逃がしてその折り返しを容易化するものでありさえすれば、該上端部分５１を逃がす際に切欠部を形成した状態にある各種構成のものを採用できる。前記したような、折り返す前は直線状の切り込みやスリットとして形成されているがその後の変形で切欠部を形成できるものの他、始めから逃がし切欠部を有するものであってもよい。
【００６０】
又、前記平面状のカバー片７ｂに設ける前記逃がし切欠部８６も、該平面状のカバー片７ｂの一方の側縁部分８０ａを折り曲げる際に、カフのチューブ５６を逃がしてその折り返しを容易化するものでありさえすれば、該チューブ５６を逃がす際に切欠部を形成した状態にある各種構成のものを採用できる。前記したような、折り返す前は直線状の切り込みとして形成されているがその後の変形で切欠部を形成できるものの他、始めから逃がし切欠部を有するものであってもよい。
【００６１】
(6) 本考案に係るカフ用衛生カバーは、前記した上腕に対して巻き付けられるカフに着脱可能に取り付けられるものに限られず、前腕や手首、指、下腿等の、血圧測定に支障のない生体部位に対して巻き付けられるカフに着脱可能に取り付けられるものであってもよい。
【図面の簡単な説明】
【００６２】
【図１】筒状のカバー片を具えるカフ用衛生カバーを、係止リングを具えるカフと共に示す斜視図である。
【図２】そのカフの腕帯にカフ用衛生カバーを取り付けた状態を示す斜視図である。
【図３】そのカフ用衛生カバーが取り付けられた腕帯を上腕に装着した状態を示す斜視図である。
【図４】その断面図である。
【図５】係止リングを具えるカフの通常の使用状態を示す斜視図である。
【図６】カフ用衛生カバーの製造に用いる基材不織布を示す斜視図である。
【図７】基材不織布を用いてカフ用衛生カバーを製造する工程を説明する斜視図と断面図である。
【図８】カフ用衛生カバーを腕帯に取り付けた状態を示す断面図である。
【図９】弾性装着紐を具える、筒状のカバー片を具えるカフ用衛生カバーを、係止リングを具えるカフと共に示す斜視図である。
【図１０】そのカフ用衛生カバーの製造工程を示す斜視図と断面図である。
【図１１】そのカフ用衛生カバーをカフの腕帯に装着した状態を示す斜視図と正面図である。
【図１２】弾性装着紐を具えるカフ用衛生カバーのその他の実施例を示す部分斜視図である。
【図１３】平面状のカバー片を有するカフ用衛生カバーをカフと共に示す斜視図である。
【図１４】そのカフ用衛生カバーをカフに取り付けた状態をカフの内面側で示す斜視図である。
【図１５】その外面側で示す斜視図である。
【図１６】そのカフ用衛生カバーが取り付けられたカフを上腕に装着した状態を示す斜視図である。
【図１７】その断面図である。
【図１８】カフ用衛生カバーに対するカフの取り付け要領を説明する断面図である。
【図１９】平面状のカバー片を有するカフ用衛生カバーをその外面側で示す斜視図である。
【図２０】そのカフ用衛生カバーをカフに取り付けた状態を示す断面図である。
【図２１】平面状のカバー片を有するカフ用衛生カバーを外面側で示す斜視図である。
【図２２】そのカフ用衛生カバーをカフに取り付けた状態を示す断面図である。
【図２３】筒状のカバー片の下端縁部を弾性伸縮部として構成したカフ用衛生カバーを示す斜視図である。
【図２４】そのカフ用衛生カバーを上腕に装着した状態を示す斜視図である。
【図２５】そのカフ用衛生カバーを製造するために用いる基材不織布を示す斜視図である。
【図２６】基材不織布を筒状に屈曲して形成された筒状体を示す斜視図である。
【図２７】筒状体の下端縁部分の弾性伸縮部を形成する要領を説明する斜視図と断面図である。
【図２８】上腕に装着されたカフ用衛生カバーを上から覆うようにカフを装着した状態を示す斜視図である。
【図２９】上腕に装着されたカフ用衛生カバーを上から覆うようにカフを装着したその他の状態を示す斜視図である。
【図３０】上下ストレートに構成された筒状のカバー片を有するカフ用衛生カバーを示す斜視図である。
【図３１】そのカフ用衛生カバーを上腕に装着した後、このカフ用衛生カバーを上から覆うように、係止リングを有するカフを装着した状態を示す斜視図である。
【図３２】そのカフ用衛生カバーを上腕に装着した後、このカフ用衛生カバーを上から覆うように、係止リングを有さないカフを装着した状態を示す斜視図である。
【図３３】係止リングを有するカフを上腕に装着した状態を示す斜視図である。
【図３４】係止リングを有さないカフを上腕に装着した状態を示す斜視図である。
【符号の説明】
【００６３】
１  カフ用衛生カバー
２  生体部位
２ａ  腕
３  腕帯
５  カフ
６  腕との接触部分
７  カバー片
７ａ  筒状のカバー片
７ｂ  平面状のカバー片
９  上腕
１０  流体袋
１１  腕帯の一方端
１３  係止リング
１５  筒状体
１６  面ファスナ
１９  不織布
２２  逃がし切欠部
２７  弾性伸縮部
３７  分離部
３９  筒状体
４７  弾性紐
５６  チューブ
６２  弾性紐
６７  逃がし切欠部
７０  弾性装着紐
７２  ループ状挿通部
９０  起毛部
９３  接着層
９９  弾性伸縮部
【図１】
0003139521.tif 000003
【図２】
0003139521.tif 000004
【図３】
0003139521.tif 000005
【図４】
0003139521.tif 000006
【図５】
0003139521.tif 000007
【図６】
0003139521.tif 000008
【図７】
0003139521.tif 000009
【図８】
0003139521.tif 000010
【図９】
0003139521.tif 000011
【図１０】
0003139521.tif 000012
【図１１】
0003139521.tif 000013
【図１２】
0003139521.tif 000014
【図１３】
0003139521.tif 000015
【図１４】
0003139521.tif 000016
【図１５】
0003139521.tif 000017
【図１６】
0003139521.tif 000018
【図１７】
0003139521.tif 000019
【図１８】
0003139521.tif 000020
【図１９】
0003139521.tif 000021
【図２０】
0003139521.tif 000022
【図２１】
0003139521.tif 000023
【図２２】
0003139521.tif 000024
【図２３】
0003139521.tif 000025
【図２４】
0003139521.tif 000026
【図２５】
0003139521.tif 000027
【図２６】
0003139521.tif 000028
【図２７】
0003139521.tif 000029
【図２８】
0003139521.tif 000030
【図２９】
0003139521.tif 000031
【図３０】
0003139521.tif 000032
【図３１】
0003139521.tif 000033
【図３２】
0003139521.tif 000034
【図３３】
0003139521.tif 000035
【図３４】
0003139521.tif 000036